(57)【要約】【課題】  内部基板を利用して複数の周波数帯域に対応可能なアンテナを実現し、携帯無線機の利便性の向上を図りつつ、構成の簡易化、デザインの制約の抑制を図ること。【解決手段】  放射素子として作動する２つの基板１，２と、当該２つの基板１，２を接続する給電線路１０と、により構成されるダイポールアンテナを装備し、給電線路１０に接続された無線回路１２を備えた携帯無線機であって、各基板１，２を、アンテナ長方向に少なくとも２つの分離基板部１ａ，１ｂ，２ａ，２ｂに分離してそれぞれ形成すると共に、各基板１，２ごとに、分離基板部間を電気的に接続／切断する接続／切断手段７，８を当該分離基板部間にそれぞれ備えた。【選択図】図１
2007074366.tif 000002
【特許請求の範囲】
【請求項１】
放射素子として作動する２つの基板と、当該２つの基板を接続する給電線路と、により構成されるダイポールアンテナを装備し、前記給電線路に接続された無線回路を備えた携帯無線機であって、
前記各基板を、アンテナ長方向に少なくとも２つの分離基板部に分離してそれぞれ形成すると共に、前記各基板ごとに、前記分離基板部間を電気的に接続／切断する接続／切断手段を当該分離基板部間にそれぞれ備えた、
ことを特徴とする携帯無線機。
【請求項２】
前記各基板に、当該各基板を前記分離基板部に分離するスリット部をそれぞれ形成した、ことを特徴とする請求項１記載の携帯無線機。
【請求項３】
ダイポールアンテナを構成する前記基板の全長が、前記接続／切断手段にて前記分離基板部を接続／切断することにより、少なくとも２通りの無線通信周波数の波長の約２分の１になるよう設定して形成した、
ことを特徴とする請求項１又は２記載の携帯無線機。
【請求項４】
前記各基板を、それぞれ２つの前記分離基板部にて形成すると共に、
前記基板の全長を、前記接続／切断手段による接続時に第一の周波数の波長λ１の約２分の１に、切断時に第二の周波数の波長λ２の約２分の１に、それぞれ設定して形成した、
ことを特徴とする請求項３記載の携帯無線機。
【請求項５】
前記接続／切断手段は、前記第一の周波数帯域にてほぼ短絡し、前記第二の周波数帯域にて共振するインピーダンス特性を有する共振回路を備えた、
ことを特徴とする請求項４記載の携帯無線機
【請求項６】
前記接続／切断手段は、前記分離基板部間の接続／切断を切替可能なスイッチを備えた、
ことを特徴とする請求項４記載の携帯無線機。
【請求項７】
前記スイッチの切替を制御する制御回路を備え、
この制御回路は、通信相手となる他の無線機から受信した通信時の周波数帯域を表す信号を検出し、この検出した信号に応じて前記スイッチを切り替える、
ことを特徴とする請求項６記載の携帯無線機。
【請求項８】
前記携帯無線機は、折畳型携帯無線機であり、
前記２つの基板は、折畳部分を挟んで装備されている、
ことを特徴とする請求項４，５，６又は７記載の携帯無線機。
【請求項９】
前記第一の周波数は８００Ｈｚであり、前記第二の周波数は２ＧＨｚである、ことを特徴とする請求項８記載の携帯無線機。
【請求項１０】
放射素子として作動する２つの基板と、当該２つの基板を接続する給電線路と、により構成されるダイポールアンテナを装備し、前記給電線路に接続された無線回路を備えた携帯無線機の通信周波数を設定する方法であって、
通信相手となる他の無線機から受信した通信時の周波数帯域を表す信号を検出し、
アンテナ長方向に少なくとも２つの分離基板部に分離されそれぞれ形成された前記各基板ごとにおける当該分離基板部間を、前記検出した周波数帯域にて前記ダイポールアンテナが作動するよう電気的に接続／切断する、
ことを特徴とする携帯無線機の通信周波数設定方法。
【請求項１１】
前記分離基板部間の接続／切断を、当該分離基板部間に設けられたスイッチを切替制御することにより行う、
ことを特徴とする請求項１０記載の携帯無線機の通信周波数設定方法。
【発明の詳細な説明】
【技術分野】
【０００１】
本発明は、携帯型無線機にかかり、特に、複数の周波数帯域にて無線通信が可能な携帯型無線機に関する。また、その通信周波数を設定する方法に関する。
【背景技術】
【０００２】
近年普及した携帯電話では、その多くに外部アンテナとしてヘリカルアンテナが用いられている。しかし、ヘリカルアンテナを用いた携帯電話では、アンテナが携帯電話機本体の外部へ突出する形状となるため、落下時の耐衝撃性が低下し、また、携帯電話機のデザインの自由度が制約されると言う問題があった。このため、特許文献１に示すように、携帯電話機に内蔵されたプリント配線基板全体をダイポールアンテナとして作動させる技術が開発されている。
【０００３】
【特許文献１】特開２００３−１９８２３２号公報
【発明の開示】
【発明が解決しようとする課題】
【０００４】
しかしながら、近年では、携帯無線機加入者数の増加に伴い、２つの周波数帯域で使用できる携帯無線機（Dual Band機）が求められている。このようなシステムに対応するため、アンテナもこの２つの周波数帯で動作可能な構成とすることが必要とされている。例えば、800MHz帯と２GHz帯で使用することが可能な携帯無線機である。
【０００５】
そして、上述した技術を用いて、携帯電話機内に装備された直流的に切り離されている２つの基板をダイポール型のアンテナとして動作させる方法がある。このとき、一般的な折畳型携帯無線機は、展開時の長さが約200ｍｍであり、800MHz帯で筐体長が約λ／2となり、筐体内の上部基板及び下部基板をダイポール型のアンテナとして使用するには理想的である。しかし、2GHz帯にとっては、筐体長が約λと長いため、アンテナと回路との整合が取れずに効率が悪く、800MHz帯と他周波数帯のDual Band機やDuplex機能付きのMulti Band機に十分対応することができない。従って、Multi Band機に対応すべきアンテナが必要となっているものの、上述したように筐体内の基板をダイポールアンテナとして作動させる場合には、Multi Band機に対応させるべくアンテナ長を変更することはきわめて困難である。
【０００６】
このため、本発明では、上記従来例の有する不都合を改善し、特に、内部に装備された基板を利用して複数の周波数帯域に対応可能なアンテナを実現することで、携帯無線機の利便性の向上を図りつつ、構成の簡易化、デザインの制約の抑制を図ることができる携帯無線機を提供すること、をその目的とする。
【課題を解決するための手段】
【０００７】
そこで、本発明の一形態である無線通信機は、
放射素子として作動する２つの基板と、当該２つの基板を接続する給電線路と、により構成されるダイポールアンテナを装備し、給電線路に接続された無線回路を備えた携帯無線機であって、
各基板を、アンテナ長方向に少なくとも２つの分離基板部に分離してそれぞれ形成すると共に、各基板ごとに、分離基板部間を電気的に接続／切断する接続／切断手段を当該分離基板部間にそれぞれ備えた、
ことを特徴としている。
【０００８】
上記発明によると、携帯無線機を構成する２つの基板がダイポールアンテナの放射素子として作動し、無線通信が実現できる。そして、各基板をアンテナ長方向にそれぞれ２つ以上に分離して形成しており、かつ、これらの接続／切断が可能なよう構成しているため、各基板の分離基板部間を接続あるいは切断することで、ダイポールアンテナとして作動する基板の長さ、つまり、アンテナの全長を変更することができる。従って、少なくとも２通りの無線通信周波数にて利用可能となり、携帯無線機の利便性の向上を図りつつ、構成の簡易化、デザインの制約の抑制を図ることができる。
【０００９】
また、各基板に、当該各基板を分離基板部に分離するスリット部をそれぞれ形成した、ことを特徴としている。これにより、各基板をスリットにて容易に分離することができると共に、その隙間が短くよりアンテナの放射素子として作動しやすくなり、簡易な構成にて実現することができる。
【００１０】
また、ダイポールアンテナを構成する基板の全長が、接続／切断手段にて分離基板部を接続／切断することにより、少なくとも２通りの無線通信周波数の波長の約２分の１になるよう設定して形成した、ことを特徴としている。特に、各基板を、それぞれ２つの分離基板部にて形成すると共に、基板の全長を、接続／切断手段による接続時に第一の周波数の波長λ１の約２分の１に、切断時に第二の周波数の波長λ２の約２分の１に、それぞれ設定して形成した、ことを特徴としている。これにより、簡易な構成にて、２つ以上の周波数に対応するMulti Band機を構成することができる。
【００１１】
また、接続／切断手段として、第一の周波数帯域にてほぼ短絡し、第二の周波数帯域にて共振するインピーダンス特性を有する共振回路を備えた、ことを特徴としている。
【００１２】
また、接続／切断手段の別の構成として、分離基板部間の接続／切断を切替可能なスイッチを備えた、ことを特徴としている。このとき、スイッチの切替を制御する制御回路を備え、この制御回路は、通信相手となる他の無線機から受信した通信時の周波数帯域を表す信号を検出し、この検出した信号に応じて前記スイッチを切り替える、ことを特徴としている。
【００１３】
さらに、上記携帯無線機は、折畳型携帯無線機であり、２つの基板は、折畳部分を挟んで装備されている、ことを特徴としている。そして、特に、第一の周波数は８００Ｈｚであり、第二の周波数は２ＧＨｚである、ことを特徴としている。
【００１４】
このようにすることで、近年、多くの携帯電話にて利用されている折畳型のものにおいては、内部基板を利用して容易に構成することができると共に、利用されている周波数帯域に適切に対応することができる。
【００１５】
また、本発明の他の形態である携帯無線機の通信周波数設定方法は、
放射素子として作動する２つの基板と、当該２つの基板を接続する給電線路と、により構成されるダイポールアンテナを装備し、給電線路に接続された無線回路を備えた携帯無線機の通信周波数を設定する方法であって、
通信相手となる他の無線機から受信した通信時の周波数帯域を表す信号を検出し、
アンテナ長方向に少なくとも２つの分離基板部に分離されそれぞれ形成された各基板ごとにおける当該分離基板部間を、検出した周波数帯域にてダイポールアンテナが作動するよう電気的に接続／切断する、
ことを特徴としている。
【００１６】
そして、上記分離基板部間の接続／切断を、当該分離基板部間に設けられたスイッチを切替制御することにより行う、ことを特徴としている。
【００１７】
上述した通信周波数設定方法であっても、上記携帯無線機と同様に作用するため、上述した本発明の目的を達成することができる。
【発明の効果】
【００１８】
本発明は、以上のように構成され機能するので、これによると、内部に装備された基板を利用して複数の周波数帯域に対応可能なアンテナを実現することできるため、携帯無線機の利便性の向上を図りつつ、構成の簡易化、デザインの制約の抑制を図ることができる、という従来にない優れた効果を有する。
【発明を実施するための最良の形態】
【００１９】
本発明は、携帯無線機の内部に装備された基板の導通長さを変更して、複数の周波数帯域に対応可能なアンテナを実現する、ことを特徴としている。以下、実施例にて具体的な構成及び動作を説明する。
【実施例１】
【００２０】
本発明の第１の実施例を、図１乃至図４を参照して説明する。図１は、実施例１における携帯無線機の構成を示す概略図である。図２は、インピーダンス特性と周波数帯域との関係を示す図である。図３乃至図４は、携帯無線機の動作状態を示す説明図である。
【００２１】
［構成］
本発明である携帯無線機は、２つの周波数帯域に対応できる携帯電話機であり、特に、８００Ｈｚ帯（第一の周波数帯域）と２ＧＨｚ帯（第二の周波数帯域）とに対応するものである。また、図１に示すように、携帯無線機は、上部筐体３と下部筐体４とを有する折畳型携帯電話であり、この図は、各筐体３，４が開いたときの状態を示している。但し、折畳型携帯電話は本発明の一例であって、折畳型であることに限定されない。また、上述した対応可能な周波数帯域も本発明の一例であって、上記周波数帯域に限定されず、さらに異なる周波数帯域に対応するものであってもよい。以下、携帯無線機の構成について詳述する。
【００２２】
まず、上部筐体３の内部には上部基板１が、下部筐体４の内部には下部基板２が、それぞれ装備されている。そして、上部基板１は、当該基板１を上下に分離するスリット部５が形成されており、第一上部基板部１ａ（分離基板部）と第二上部基板部１ｂ（分離基板部）とにより構成されている。また、下部基板２にも同様に、当該基板２を上下に分離するスリット部６が形成されていて、第一下部基板部２ａと第二下部基板部２ｂとにより構成されている。
【００２３】
また、上部基板１と下部基板２とは、第一上部基板部１ａと第一下部基板部２ａとを接続するＦＰＣなどからなる上下基板接続部９によって接続されている。また、これら基板部１ａ，２ａの間には給電線路１０も接続されており、この給電線路１０には、第一下部基板部２ａ上に搭載された整合回路１１が接続されている。この整合回路１１は、回路からの反射による損失を低減するためのものである。また、この整合回路１１には、さらに、無線回路１２、制御回路１３が接続されている。
【００２４】
上記構成によると、まず、上部基板１と下部基板２とが給電線路１０を介して接続されることによってダイポールアンテナが構成される。そして、給電線路１０に接続された無線回路１２によって、上記基板１，２によるダイポールアンテナを介した無線通信が実現されることとなる。さらに、制御回路１３によって無線機自体の通信状態が制御される。
【００２５】
ここで、上述したように、上部基板１あるいは下部基板２は、それぞれスリット部５，６によって上下に分離されているが、分離された各基板部（１ａと１ｂ、あるいは、２ａと２ｂ）を電気的に接続／切断が可能なよう構成されている。その構成について以下に詳述する。
【００２６】
まず、上部基板１のスリット部５には、第一上部基板部１ａと第二上部基板部１ｂとを連結する並列共振回路７（接続／切断手段）が装備されている。この並列共振回路７は、コイルとコンデンサで構成されており、上述した２ＧＨｚである第二の周波数帯域にて共振し、８００Ｈｚである第一の周波数帯域ではほぼ短絡となるようなインピーダンス特性に設定されている。このインピーダンス特性の様子を図２に示す。
【００２７】
そして、上部基板１と下部基板２とは、折畳型携帯電話の折畳部分を挟んでほぼ対象となるよう同一形状にて形成されており、携帯電話が開いたときには、長さが約２００ｍｍあるため、各基板１，２を合わせたときの全長もほぼ同一の長さとなる。すると、この長さは、８００Ｈｚ帯域における波長λ１の約２分の１となっている。従って、上述したように上部基板１と下部基板２とを放射素子とするダイポールアンテナとして、８００Ｈｚ帯域での無線通信が可能となる。但し、上述したように、上部基板１と下部基板２とは、それぞれがスリット部５，６にて上下に分離して構成されているため（１ａと１ｂ、２ａと２ｂ）、これらが接続された状態で無ければならない。つまり、スリット部５，６に配設された並列共振回路７，８がほぼ短絡状態となり、第一上部基板部１ａと第二上部基板部１ｂとが接続され上部基板１が一体的となり、同様に、第一下部基板部２ａと第二下部基板部２ｂとが接続され下部基板２が一体的となった場合に、８００Ｈｚ帯域での無線通信が可能となる。
【００２８】
一方で、上述したようにダイポールアンテナを構成する基板１，２の全長（アンテナ長）は、上記とは異なる周波数帯域である２ＧＨｚでは、その波長λ２とほぼ同一となってしまい、アンテナと回路との整合がとれず、無線通信が困難となる。従って、上述した上部基板１と下部基板２との全長を波長λ２の約２分の１に変化させることで２ＧＨｚ帯にて通信可能となる。このため、第一上部基板部１ａと第一下部基板部２ａとを合わせたときの全長が波長λ２の約２分の１となるよう、上記スリット部５，６の位置が設定されている。そして、２ＧＨｚ帯域では、スリット部５，６に配設された並列共振回路７，８が共振状態となり、高いインピーダンスを有するため、第一上部基板部１ａと第二上部基板部１ｂとは切断状態となり、かつ、第一下部基板部２ａと第二下部基板部２ｂとも切断された状態となる。すると、上述したように、第一上部基板部１ａと第一下部基板部２ａとによるダイポールアンテナが形成され、２ＧＨｚ帯での無線通信が可能となる。
【００２９】
［動作］
次に、上記構成の携帯無線機の動作を、図３乃至図４を参照して説明する。まず、第一の周波数帯域、つまり、本実施例では８００Ｈｚの場合、各並列共振回路７，８は所定のインピーダンスを持つ。このため、第一上部基板部１ａと第二上部基板部１ｂは並列共振回路７を介して接続され、同様に、第一下部基板部２ａと第二下部基板部２ｂは並列共振回路８を介して接続される。従って、図３に示すように、全ての基板部１ａ，１ｂ，２ａ，２ｂが放射素子となり、上部基板１及び下部基板２全体がダイポールアンテナとして動作する。これにより、上述したように、８００Ｈｚ帯域での無線通信が可能となる。
【００３０】
一方、第二の周波数帯域、つまり、本実施例では２ＧＨｚの場合、各並列共振回路７，８は共振状態となり、高いインピーダンスとなる。このため、各基板１，２のうち、第二上部基板部１ｂ及び第二下部基板部２ｂには高周波電流がほとんど流れない。従って、図４に示すように、第一上部基板部１ａと第一下部基板部２ａのみがダイポールアンテナとして作動するため、アンテナ長が短くなり、上述したように、２ＧＨｚ帯域での無線通信が可能となる。
【００３１】
以上のように、本発明によると、まず、携帯無線機の内部に装備される２つの基板１，２がダイポールアンテナの放射素子として作動するため、別途、ヘリカルアンテナなどを備え付ける必要が無く、無線通信を実現することができる。従って、構成の簡素化、及び、製造コストの低下を図ることができる。さらに、各基板１，２をアンテナ長方向にそれぞれ２つ以上に分離して形成し、これらを所定の周波数にて接続／切断されるようインピーダンス特性が設定された並列共振回路７，８を備えることで、ダイポールアンテナとして作動する基板１，２の長さ、つまり、アンテナの全長を自動的に変更設定することができる。従って、少なくとも２通りの無線通信周波数にて利用可能となり、Multi Band機を構成することができる。
【００３２】
なお、上記では、上部基板１及び下部基板２にそれぞれ１つのスリット部５，６を設けて２つの基板部に分離する場合を説明したが、さらに多くのスリット部５，６を設けてさらに多くの基板部に分離して構成してもよい。そして、それぞれのスリット部５，６に、上述した並列共振回路を設けて、通信周波数に応じてインピーダンス特性を設定することにより、それらの接続／切断状態を制御してもよい。これにより、放射素子として作動する各基板部の接続状態を種々のパターンに設定することができ、その結果、種々のアンテナ長に設定することができる。従って、複数の周波数帯域に対応可能な携帯無線機を構成することができる。また、上記では、特定の周波数を利用する場合を例示したが、これに限定されず、他の周波数帯域に対応可能なよう基板の長さや形状を設定して構成してもよい。
【実施例２】
【００３３】
次に、本発明の第２の実施例を、図５乃至図８を参照して説明する。図５は、実施例２における携帯無線機の構成を示す概略図である。図６乃至図７は、携帯無線機の動作状態を示す説明図である。図８は、携帯無線機の制御回路による動作を示すフローチャートである。
【００３４】
［構成］
本実施例における携帯無線機は、上述した実施例１に示した折畳型携帯電話とほぼ同一の構成を採っている。但し、各スリット部５，６に、並列共振回路７，８に替えて、スイッチ１４，１５が備えられている点で異なる。また、これに伴い、制御回路１３が、上記スイッチ１４，１５の動作を制御する点でも異なる。以下、詳述する。
【００３５】
スイッチ１４，１５は、第一上部基板部１ａと第二上部基板部１ｂとの接続／切断の切替を、また、第一下部基板部２ａと第二下部基板部２ｂとの接続／切断の切替を可能とする。従って、上述した実施例１では、各基板部間に装備した並列共振回路７，８のインピーダンス特性を設定して、各基板部間の電気的接続／切断を実現していたが、本実施例では、スイッチ１４，１５にて各基板間の電気的接続／切断を可能としている。また、このスイッチ１４，１５のオンオフは、制御回路１３からの指令により制御される。
【００３６】
そして、制御回路１３（制御装置）には、所定のプログラムが組み込まれることにより次のような機能を実現するための処理部が構築されている。まず、制御回路１３は、通信相手から送信される周波数帯域に関する信号を無線回路１２を介して受信する。そして、この受信した信号に従って、無線回路１２を切り替えて必要な周波数帯域を決定する。さらに、決定した周波数帯域による無線通信を実現するよう、ダイポールアンテナとして機能する基板１，２の全長を変化設定するために、スイッチ１４，１５をオン・オフする信号を出力する。つまり、制御回路１３は、通信相手から指定された周波数帯域を検出して、当該周波数帯域にて作動するようスイッチを切り替える切替制御機能を備えている。
【００３７】
［動作］
次に、上記構成の携帯無線機の動作を、図６乃至図８を参照して説明する。まず、通信相手から送信される周波数帯域に関する信号を無線回路１２で受信し、制御回路１３に入力される（ステップＳ１）。制御回路１３では、その入力された信号に従って、無線回路１２を切り替えて必要な周波数帯域を決定する（ステップＳ２）。さらに、決定された周波数帯域に従って、スイッチ１４，１５のオンオフを切り替える（ステップＳ３、Ｓ４，Ｓ５）。例えば、通信相手から第一周波数帯域（８００Ｈｚ）の指定があった場合には、各スイッチ１４，１５がオンになるよう切り替える（ステップＳ４）。すると、第一上部基板部１ａと第二上部基板部１ｂはスイッチ１４を介して接続され、同様に、第一下部基板部２ａと第二下部基板部２ｂはスイッチ１５を介して接続される。従って、図６に示すように、全ての基板部１ａ，１ｂ，２ａ，２ｂが放射素子となり、上部基板１及び下部基板２全体がダイポールアンテナとして動作する。これにより、８００Ｈｚ帯域での無線通信が可能となる。
【００３８】
一方、第二の周波数帯域（２ＧＨｚ）の指定があった場合には、各スイッチ１４，１５をオフにする（ステップＳ５）。すると、第二上部基板部１ｂ及び第二下部基板部２ｂには、高周波電流が流れない。従って、図６に示すように、第一上部基板部１ａと第一下部基板部２ａのみがダイポールアンテナとして作動するため、アンテナ長が短くなり、２ＧＨｚ帯域での無線通信が可能となる。このように、異なる周波数帯域において、最適長のダイポールアンテナを構成することができ、インピーダンス特性が良好となる。
【００３９】
ここで、上述した実施例１，２では、給電線路１０にて各基板１，２を接続する場合を説明したが、給電経路として上下基板接続部９を使用しても、上述同様な効果を得ることができる。
【００４０】
また、本発明では、分離された各基板部の接続／切断を実行する具体的な構成として、並列共振回路７，８やスイッチ１４，１５を挙げて説明したが、これらに限定されず、他の構成を設けて実現してもよい。
【産業上の利用可能性】
【００４１】
本発明は、１台で複数の周波数帯域にて無線通信を行うことができる携帯電話に利用することができ、産業上の利用可能性を有する。
【図面の簡単な説明】
【００４２】
【図１】実施例１における携帯無線機の構成を示す概略図である。
【図２】図１に開示した並列共振回路のインピーダンス特性と周波数帯域との関係を示す図である。
【図３】実施例１における携帯無線機の動作状態を示す説明図である。
【図４】実施例１における携帯無線機の動作状態を示す説明図である。
【図５】実施例２における携帯無線機の構成を示す概略図である。
【図６】実施例２における携帯無線機の動作状態を示す説明図である。
【図７】実施例２における携帯無線機の動作状態を示す説明図である。
【図８】実施例２における携帯無線機の動作を示すフローチャートである。
【符号の説明】
【００４３】
１  上部基板（基板）
２  下部基板（基板）
３  上部筐体
４  下部筐体
５，６  スリット部
７，８  並列共振回路（接続／切断手段）
９  上下基板接続部
１０  給電線路
１１  整合回路
１２  無線回路
１３  制御回路
１４，１５  スイッチ（接続／切断手段）
１ａ  第一上部基板部（分離基板部）
１ｂ  第二上部基板部（分離基板部）
２ａ  第一下部基板部（分離基板部）
２ｂ  第二下部基板部（分離基板部）
【図１】
2007074366.tif 000003
【図２】
2007074366.tif 000004
【図３】
2007074366.tif 000005
【図４】
2007074366.tif 000006
【図５】
2007074366.tif 000007
【図６】
2007074366.tif 000008
【図７】
2007074366.tif 000009
【図８】
2007074366.tif 000010